(57)【特許請求の範囲】
【請求項１】
回転テーブルに装着された円形の試薬トレイにその周方向に沿って着脱自在に装着され、当該試薬トレイの回転によって移送された所定の位置にて、内容物が分取される分取口を有する自動分析装置用の試薬容器において、
前記試薬容器は、試薬トレイの回転中心側にある回転中心側壁部と、この回転中心側壁部よりも径方向外側にある径方向外側壁部と、当該回転中心側壁部と径方向外側壁部との互いに向かい合う端部を繋ぐ２つの移送方向側壁部とを有し、
前記径方向外側壁部を基部として、この基部から回転中心側壁部に向かって延在し、試薬容器の移送方向に対して当該試薬容器内の試薬に流体抵抗を生じせしめる障害物を備えるものであることを特徴とする自動分析装置用の試薬容器。
【請求項２】
回転テーブルに装着された円形の試薬トレイにその周方向に沿って着脱自在に装着され、当該試薬トレイの回転によって移送された所定の位置にて、内容物が分取される分取口を有する自動分析装置用の試薬容器において、
前記試薬容器は、試薬トレイの回転中心側にある回転中心側壁部と、この回転中心側壁部よりも径方向外側にある径方向外側壁部と、当該回転中心側壁部と径方向外側壁部との互いに向かい合う一端部を繋ぎ、内容物が押し付けられて液面が最も上昇する第１の移送方向側壁部と、この第１の移送方向側壁部の内側壁面に対向する位置にあって前記回転中心側壁部と径方向外側壁部との互いに向かい合う他端部を繋ぎ、内容物が押し付けられて液面が最も下降する第２の移送方向側壁部とを有し、
当該第１の移送方向側壁部の内側壁面と第２の移送方向側壁部の内側壁面との間に、液収容範囲に対応する高さ領域にあって、前記径方向外側壁部を基部として、この基部から回転中心側壁部に向かって延在し、この試薬容器の移送時に、移送方向への加減速動作によって内容物に生じる揺れに対して抵抗を生じさせる障害物を備えるものであることを特徴とする自動分析装置用の試薬容器。
【請求項３】
回転テーブルに装着された円形の試薬トレイにその周方向に沿って着脱自在に装着され、当該試薬トレイの回転によって移送された所定の位置にて、内容物が分取される分取口を有する自動分析装置用の試薬容器において、
前記試薬容器は、試薬トレイの回転中心側にある回転中心側壁部と、この回転中心側壁部よりも径方向外側にある径方向外側壁部と、当該回転中心側壁部と径方向外側壁部との互いに向かい合う端部を繋ぐ２つの移送方向側壁部とを有し、
その内部に、試薬容器内の天井面から底面までにわたる高さにおいて、前記径方向外側壁部を基部として、この基部から前記分取口を挟んで回転中心側壁部に向かって延在し、前記分取口の下部領域と、この下部領域を除いた残部領域とに仕切ると共に、当該下部領域と残部領域との間に試薬容器内の天井面から底面までにわたって開口する連通部を形成する２つの仕切部を備えることを特徴とする自動分析装置用の試薬容器。
【請求項４】
前記仕切部を下部領域の容積が残部領域の容積よりも小さくなるように配置したものであることを特徴とする請求項３に記載の自動分析装置用の試薬容器。
【請求項５】
回転テーブルに装着された円形の試薬トレイにその周方向に沿って着脱自在に装着され、当該試薬トレイの回転によって移送された所定の位置にて、内容物が分取される分取口を有する自動分析装置用の試薬容器において、
前記試薬容器は、試薬トレイの回転中心側にある回転中心側壁部と、この回転中心側壁部よりも径方向外側にある径方向外側壁部と、当該回転中心側壁部と径方向外側壁部との互いに向かい合う端部を繋ぐ２つの移送方向側壁部とを有し、
前記分取口を前記移送方向側壁部の内側壁面間の中心軸上の前記径方向外側壁部側に配置すると共に、前記２つの移送方向側壁部における、前記径方向外側壁部に隣接する一部をそれぞれ内向きにオフセットさせて、前記分取口の下部領域において内容物の揺れ方向に対向配置した２つの移送方向側壁部の前記オフセットさせた内側壁面間の幅を、前記分取口の下部領域を除いた残部領域において内容物の揺れ方向に対向配置した２つの移送方向側壁部の内側壁面間の幅よりも狭めたものであることを特徴とする自動分析装置用の試薬容器。
【請求項６】
回転テーブルに装着された円形の試薬トレイにその周方向に沿って着脱自在に装着され、当該試薬トレイの回転によって移送された所定の位置にて、内容物が分取される分取口を有する自動分析装置用の試薬容器において、
前記試薬容器は、その試薬容器の内部であって、前記分取口の下部領域以外の当該分取口から離れた位置に、内容物の揺れによって生じる反射波の反射方向を制御する柱状の反射部を備えるものであることを特徴とする自動分析装置用の試薬容器。
【発明の詳細な説明】
【０００１】
【発明の属する技術分野】
本発明は、血液、尿や髄液などを分析する自動分析装置に用いられる試薬容器に関するものである。
【０００２】
【従来の技術】
自動分析装置は、採取した血清や尿等の試料と、検査項目に従った試薬を反応容器にそれぞれ分注し、被検液の反応を測定するものであり、特開平５−２５６８５４号公報（文献１）、特開平５−２９７００７号公報（文献２）、あるいは特開平９−１２７１２３号公報（文献３）に開示されている如く、既知である。
【０００３】
このため、本願出願人は既に、こうした分析装置に用いられる試薬容器の一例として、特開２０００−２７５２５１号公報（特願平１１−８３０７３号）の試薬容器を提案済みである。
【０００４】
上記試薬容器は、例えば回転テーブルなどの移送手段によって所定の位置まで移送され、この所定の位置にて、プローブなどの吸入ノズルによって内容物である試薬が分取される自動分析装置用の容器であって、この容器の移送時に該容器内の試薬にかかる遠心力による液面の揺れを抑えるために遠心力が最も小さい遠心基部と、遠心力が最も大きい遠心端部との間に、液収容範囲に対応する高さ領域を含んで上下に亙り、遠心方向に流体抵抗を生じるように構成したものである。
【０００５】
【発明が解決しようとする課題】
しかしながら、試薬容器を所定の位置に移送する場合、例えば、試薬容器をベルトコンベアなどの手段によって直線的に移送する場合には、液面の揺れは遠心力のみによって生じるわけではなく、移送方向への加減速動作によっても内容物に揺れが生じてしまう。
【０００６】
しかも、移送方向に対向配置した試薬容器の内側壁面間の幅が試薬容器の形状や装置上での配置方法によって広くなると、移送時の加減速動作によって生じた力が液面の揺れに大きく影響を及ぼすことがある。このため、移送方向に生じる試薬の揺れを抑えないと、試薬分注の精度が悪化するなどして、信頼性の高い分析データが得られないという不都合が生じてしまう。
【０００７】
また、移送時に生じる遠心力や加減速動作によって生じる力など、液面の揺れを発生させる力が試薬に対して複数の方向から作用する場合、試薬に生じる波は試薬容器の内側壁面で何回も反射することにより複雑な動きをするため、遠心方向のみに流体抵抗を増加させても、試薬の揺れを十分に抑えることができなかった。
【０００８】
本発明は、上述のような事実に鑑みてなされたものであり、移送時に生じる内容物の揺れを抑えることにより、信頼性の高い分析データを測定することができる自動分析装置用の試薬容器を提供することを目的とする。
【０００９】
【課題を解決するための手段】
第１発明である自動分析装置用の試薬容器は、回転テーブルに装着された円形の試薬トレイにその周方向に沿って着脱自在に装着され、当該試薬トレイの回転によって移送された所定の位置にて、内容物が分取される分取口を有する自動分析装置用の試薬容器において、試薬容器は、試薬トレイの回転中心側にある回転中心側壁部と、この回転中心側壁部よりも径方向外側にある径方向外側壁部と、当該回転中心側壁部と径方向外側壁部との互いに向かい合う端部を繋ぐ２つの移送方向側壁部とを有し、前記径方向外側壁部を基部として、この基部から移送方向に対して当該試薬容器内の試薬に流体抵抗を生じせしめる障害物を備えることを特徴とするものである。
【００１０】
第２発明である自動分析装置用の試薬容器は、回転テーブルに装着された円形の試薬トレイにその周方向に沿って着脱自在に装着され、当該試薬トレイの回転によって移送された所定の位置にて、内容物が分取される分取口を有する自動分析装置用の試薬容器において、試薬容器は、試薬トレイの回転中心側にある回転中心側壁部と、この回転中心側壁部よりも径方向外側にある径方向外側壁部と、当該回転中心側壁部と径方向外側壁部との互いに向かい合う一端部を繋ぎ、内容物が押し付けられて液面が最も上昇する第１の移送方向側壁部と、この第１の移送方向側壁部の内側壁面に対向する位置にあって前記回転中心側壁部と径方向外側壁部との互いに向かい合う他端部を繋ぎ、内容物が押し付けられて液面が最も下降する第２の移送方向側壁部とを有し、当該第１の移送方向側壁部の内側壁面と第２の移送方向側壁部の内側壁面との間に、液収容範囲に対応する高さ領域にあって、前記径方向外側壁部を基部として、この基部から回転中心側壁部に向かって延在し、この試薬容器の移送時に、移送方向への加減速動作によって内容物に生じる揺れに対して抵抗を生じさせる障害物を備えることを特徴とするものである。
【００１１】
第３発明である自動分析装置用の試薬容器は、回転テーブルに装着された円形の試薬トレイにその周方向に沿って着脱自在に装着され、当該試薬トレイの回転によって移送された所定の位置にて、内容物が分取される分取口を有する自動分析装置用の試薬容器において、試薬容器は、試薬トレイの回転中心側にある回転中心側壁部と、この回転中心側壁部よりも径方向外側にある径方向外側壁部と、当該回転中心側壁部と径方向外側壁部との互いに向かい合う端部を繋ぐ２つの移送方向側壁部とを有し、その内部に、試薬容器内の天井面から底面までにわたる高さにおいて、前記径方向外側壁部を基部として、この基部から前記分取口を挟んで回転中心側壁部に向かって延在し、前記分取口の下部領域と、この下部領域を除いた残部領域とに仕切ると共に、当該下部領域と残部領域との間に試薬容器内の天井面から底面までにわたって開口する連通部を形成する２つの仕切部を備えることを特徴とするものである。
【００１２】
第４発明である自動分析装置用の試薬容器は、第３発明において、上記仕切部を下部領域の容積が残部領域の容積よりも小さくなるように配置したものであることを特徴とするものである。
【００１３】
第５発明である自動分析装置用の試薬容器は、回転テーブルに装着された円形の試薬トレイにその周方向に沿って着脱自在に装着され、当該試薬トレイの回転によって移送された所定の位置にて、内容物が分取される分取口を有する自動分析装置用の試薬容器において、試薬容器は、試薬トレイの回転中心側にある回転中心側壁部と、この回転中心側壁部よりも径方向外側にある径方向外側壁部と、当該回転中心側壁部と径方向外側壁部との互いに向かい合う端部を繋ぐ２つの移送方向側壁部とを有し、前記分取口を前記移送方向側壁部の内側壁面間の中心軸上の前記径方向外側壁部側に配置すると共に、前記２つの移送方向側壁部における、前記径方向外側壁部に隣接する一部をそれぞれ内向きにオフセットさせて、前記分取口の下部領域において内容物の揺れ方向に対向配置した２つの移送方向側壁部の前記オフセットさせた内側壁面間の幅を、分取口の下部領域を除いた残部領域において内容物の揺れ方向に対向配置した２つの移送方向側壁部の内側壁面間の幅よりも狭めたことを特徴とするものである。
【００１４】
第６発明である自動分析装置用の試薬容器は、回転テーブルに装着された円形の試薬トレイにその周方向に沿って着脱自在に装着され、当該試薬トレイの回転によって移送された所定の位置にて、内容物が分取される分取口を有する自動分析装置用の試薬容器において、試薬容器は、その試薬容器の内部であって、前記分取口の下部領域以外の当該分取口から離れた位置に、内容物の揺れによって生じる反射波の反射方向を制御する柱状の反射部を備えることを特徴とするものである。
【００１５】
【発明の実施の形態】
以下、本発明の実施の形態を図面に基づき説明する。
図１は、本発明に係わる自動分析装置を例示する全体概念図である。
【００１６】
装置本体１には、サンプラ２が配置されており、このサンプラ２は一定周期で間欠的に回動するようになっている。また、サンプラ２は、採取された血清や尿等の試料を収容する複数個のサンプルカップ３がホルダーチェーン４に保持されており、このホルダーチェーン４の移動によってサンプルカップ３が間欠的に移動する。
【００１７】
また、装置本体１には、反応ディスク５が配置されており、サンプラ２と同様に一定周期で間欠的に回動するようになっている。この反応ディスク５には、円周上位置に複数個の反応容器６が保持されている。さらに装置本体１には、２個の試薬トレイ７ａ、７ｂが離間して配置されており、試薬トレイ７ａ、７ｂには、所望の分析項目に必要な所定の試薬を収容する本発明に係る試薬容器１００が着脱自在に装着されているとともに、試薬トレイ近傍に試薬容器１００を識別する検出器が設けられている。図２は、装置本体１の要部上面図であり、試薬トレイ７ａ、７ｂは複数の試薬容器１００と共に、回転テーブル（試薬テーブル）８に着脱自在に装着されている。なお、図２の符号Ｐは、試料吸引位置を示す。
【００１８】
また、装置本体１には、吸入ノズルとして、図示していない分注器に連結された種々プローブが設けられている。まず、サンプラ２の近傍にはサンプル用プローブ９が設けられ、さらに、一方の試薬トレイ７ａの近傍には第１試薬用プローブ１０が設けられ、他方の試薬トレイ７ｂの近傍には第２試薬用プローブ１１が設けられている。各プローブには液面検知機能が設けられており、分注する液の液面の高さが変化しても、必要量のプローブ先端だけを液に入れるようにし、液の分注精度を保ち、プローブの汚れを防いでいる。
【００１９】
上記第１試薬用プローブ１０は、第１試薬を保持した試薬トレイ７ａから所定位置の試薬容器１００の中の試薬を吸引し、回転動することにより反応ディスク５に保持されている反応容器６に試薬を分注する。また、サンプル用プローブ９は、サンプラ２から所定位置のサンプルカップ３の中の試料を吸引し、回転動することにより反応ディスク５上の反応容器６に試料を分注する。また、第２試薬用プローブ１１は、第２試薬を保持した試薬トレイ７ｂから所定位置の試薬容器１００の中の試薬を吸引し、回転することにより反応ディスク５に保持されている反応容器６に試薬を分注する。
【００２０】
また、装置本体１にはキーボード１２が設けられている。これは各分析項目に応じて試料分注量、試薬分注量、測光波長、濃度換算計数等の分析条件をあらかじめＣＰＵに記憶させるためのキーボードである。さらに、装置本体１にはモニタ用ＣＲＴ１３が設けられている。これはキーボード１２による入力情報や分析データ等を表示させるためのものである。
【００２１】
また、装置本体１には各分析項目に対する分析条件に応じて分析操作を制御する制御装置（図示していない）が設けられてあり、この制御装置は試薬トレイ７ａ、７ｂの試薬容器１００に付着した後述する識別ラベルの識別信号に基づいて、前記ＣＰＵから識別された試薬に対応する分析項目と分析条件を読み出して所要の分析項目の分析操作を制御するようになっている。
【００２２】
このように構成されている自動分析装置では、反応ディスク５の反応容器６内に試料、試薬を分注して被検液を作成した後、所定時間経過して搬送される位置で被検液を分析項目に応じた所定の波長で測定し、その測定値と分析項目に応じた濃度換算計数によって所要の分析データを出し、図示していないプリンターから分析データを取り出すようになっている。このため、分析に必要な目的の試薬の分注は、図２に示す如く、収納された複数の試薬容器１００のうち該当する容器１００が所定の位置（試薬吸引位置Ｐ）に至るように移動させることで行える。
【００２３】
しかしながら、従来の試薬容器を大型化した場合、自動分析装置を高速化すると、試薬容器の大型化による試薬表面の揺れ（ゆれ）が問題となっていた。また従来の試薬容器が大容量で試薬トレイ７ａ，７ｂを高速に回転した場合やベルトコンベアなどで直進した場合、移送時の加減速動作により試薬が偏り、回転が終了した後も液表面の揺れが残っている。
【００２４】
このため、上記の如く、液表面が安定しないまま試薬プローブ１０，１１で液を吸引しようとした場合、空気の混入により目的の量が分注できないことや、必要以上に試薬プローブが液に潜り込んでしまい試薬プローブの汚れや試薬のデットボリュームが増加することがある。
【００２５】
（第１の実施形態）
そこで、本発明は、第１実施形態として、試薬容器１００を、この試薬容器１００の内側壁面の少なくとも１箇所を基部として、この基部から移送方向に対してほぼ直交する向きに延在して試薬に流体抵抗を生じせしめる障害物を備える容器１１０，１２０，１３０とすることによって、言い換えれば、試薬容器１００を、内容物である試薬が押し付けられて試薬液面が最も上昇する第１の内側壁面と、この第１の内側壁面に対向する位置にあって試薬が押し付けられて試薬液面が最も下降する第２の内側壁面との間に、液収容範囲に対応する高さ領域にあって、この試薬容器１００の移送時に、移送方向への加減速動作によって試薬に生じる揺れに対して抵抗を生じさせる障害物を備える容器１１０，１２０，１３０とすることによって、試薬液面の揺れを抑え、試薬表面を安定化し、測定データの信頼性を保つようにする。
【００２６】
［第１実施例］
図３（ａ），（ｂ）はそれぞれ、試薬容器１１０を示す斜視図およびその横断面図である。なお、本実施形態も含めて後述する実施形態において、図中の加減速方向ａ1は、試薬容器１００を直線的に移送した場合の加減速方向を示し、加減速方向ａ2は、試薬容器１００を回転など曲線的に移送した場合の加減速方向を示す。
【００２７】
試薬容器１１０は、図３（ａ），（ｂ）に示す如く、試薬トレイ７ａ、７ｂに収納するために、試薬トレイ７ａ，７ｂの回転中心側にある回転中心側壁部１１２と、この回転中心側壁部１１２よりも径方向外側にある径方向外側壁部１１３と、当該回転中心側壁部１１２と径方向外側壁部１１３との互いに向かい合う端部を繋ぐ２つの移送方向側壁部１１４，１１５とを有する横断面形状がほぼ扇形をしており、その上部には、図３（ａ）に示す如く、試薬プローブ１０，１１を導入して試薬を吸引するための分取口１１０ａを有する。
【００２８】
また試薬容器１１０の内部は、図３（ｂ）に示す如く、その分取口１１０ａ側の径方向外側壁部１１３を基部として、この基部の内側壁面１１３ｆから移送時の加減速方向ａ1（ａ2）に対してほぼ直交する向きに沿って内向きに延在させた楔状の抵抗部１１１を２箇所に形成している。つまり、抵抗部１１１は、試薬が押し付けられて液面が最も上昇する第１の移送方向側壁部１１４の内側壁面１１４ｆと、この第１の内側壁面１１４ｆと対向する位置にあって試薬が押し付けられて液面が最も下降する第２の移送方向側壁部１１５の内側壁面１１５ｆとの間に配置されることになる。
【００２９】
なお、第１の内側壁面１１４ｆと、第２の内側壁面１１５ｆとの関係は、例えば図３（ｂ）にて試薬容器１１０が図面右側から左側（時計周り）に移動することにより移送された場合であって、図３（ｂ）にて試薬容器１１０が図面左側から右側（反時計周り）に移動することにより移送された場合は、符号１１５ｆに示す壁面が試薬液面の最も上昇する第１の内側壁面となり、符号１１４ｆに示す壁面が試薬液面の最も下降する第２の内側壁面となる。
【００３０】
このため、抵抗部１１１は、試薬容器１１０の移送時に、加減速方向ａ1（ａ2）、すなわち、移送方向への加減速動作によって試薬に生じる揺れに対して流体抵抗を生じさせる障害物となるから、試薬容器１１０の内部では、移送方向への試薬の移動に対する自由度が無くなるため、試薬容器１１０の容量を大きくしたり、高速で移送させても、試薬容器１１０の内部全体、特に、分取口１１０ａ近傍における試薬液面の揺れを抑制することができる。
【００３１】
従って抵抗部１１１を備える試薬容器１１０によれば、試薬液面の揺れを抑制した分だけ、試薬の分注精度が確保されると共に、試薬プローブ１０，１１を試薬内に浸す範囲が小さくなることで試薬プローブ１０，１１に生じる汚れが最小限に抑えられるため、信頼性の高い分析データを測定できる試薬容器を提供することができる。
【００３２】
［第２実施例］
図４（ａ），（ｂ）はそれぞれ、試薬容器１２０を示す斜視図およびその横断面図である。
【００３３】
試薬容器１２０は、試薬トレイ７ａ，７ｂの回転中心側にある回転中心側壁部１２２と、この回転中心側壁部１２２よりも径方向外側にある径方向外側壁部１２３と、当該回転中心側壁部１２２と径方向外側壁部１２３との互いに向かい合う端部を繋ぐ２つの移送方向側壁部１２４，１２５とを有する横断面形状がほぼ長方形の矩形状をし、その上部には、図４（ａ）に示す如く、分取口１２０ａを有するものであり、この分取口１２０ａ側の回転中心側壁部１２３を基部として、この基部の内側壁面１２３ｆから移送時の加減速方向ａ1（ａ2）に対してほぼ直交する向きに沿って内向きに延在させた矩形状の抵抗部１２１を２つ形成している。この場合も、試薬容器１１０と同様、矩形状の抵抗部１２１が、試薬が押し付けられて液面が最も上昇する第１の内側壁面１２４ｆ(１２５ｆ)と、第２の内側壁面１２５ｆ(１２４ｆ)との間に配置されることになり、試薬容器１１０と同様の作用効果を得ることができる。
【００３４】
［第３実施例］
図５（ａ），（ｂ）はそれぞれ、試薬容器１３０を示す斜視図およびその横断面図である。試薬容器１３０は、試薬トレイ７ａ，７ｂの回転中心側にある回転中心側壁部１３２と、この回転中心側壁部１３２よりも径方向外側にある径方向外側壁部１３３と、当該回転中心側壁部１３２と径方向外側壁部１３３との互いに向かい合う端部を繋ぐ２つの移送方向側壁部１３４,１３５とを有し、その径方向外側壁部１３３から延在する抵抗部１１１，１２１に代わる障害物として、分取口１３０ａ側の径方向外側壁部１３３の内側壁面１３３ｆを基部として、この基部から移送時の加減速方向ａ1（ａ2）に対してほぼ直交する向きに沿って整列した板状の抵抗部１３１を複数備える。この場合も、試薬容器１１０，１２０と同様、板状の抵抗部１３１が、試薬が押し付けられて液面が最も上昇する第１の内側壁面１３４ｆ(１３５ｆ)と、第２の内側壁面１３５ｆ(１３４ｆ)との間に配置されることになり、試薬容器１１０，１２０と同様の作用効果を得ることができる。
【００３５】
なお、第１実施形態である試薬容器１１０，１２０，１３０にあっては、例えば、試薬容器の形状は、上述した例のようなほぼ扇形状のものに限らず、ほぼ矩形状、ほぼ楕円状、ほぼ台形状等でもよい。また、抵抗部１１１，１２１，１３１の形状、個数および配置位置は、液面の揺れを有意に防止する作用効果を奏する範囲内で適宜、種々の変更を行ってもよい。たとえば、抵抗部１１１，１２１を楔形状や矩形状に代わって、三角形状、多角形状その他に置き換えたり、抵抗部１１１，１２１に櫛形ないし網目状のスリットを設ける等の加工を行ったりして、これら種々の変更を適宜組合せてもよい。同様に、抵抗部１３１も板形状に代わって、三角形状や矩形状などの多角柱形状その他に置き換えてもよい。さらに、試薬容器１１０，１２０，１３０の容量に応じて、抵抗部１１１，１２１，１３１の個数、寸法も適宜最適なものに選択することもでき、例えば、抵抗部１１１，１２１，１３１の個数は、１つであってもよい。
【００３６】
さらに、抵抗部１１１，１２１，１３１は、試薬容器内の天井面から底面までにわたって設けられているが、液収容範囲に対応する高さ領域、すなわち、試薬容器内の天井面から底面までにわたる高さ領域であれば、必要に応じてその長さも適宜最適な寸法に選択することができる。
【００３７】
（第２の実施形態）
ところで本発明は、第２の実施形態として、試薬容器１００を、試薬容器の内部に、試薬が分取される分取口の下部領域と、この下部領域を除いた残部領域とに連通可能に仕切る仕切部を備える容器１５０とすることによって、試薬液面の揺れを抑え、試薬表面を安定化し、測定データの信頼性を保つようにしてもよい。
【００３８】
［参照技術］
図６（ａ），（ｂ）はそれぞれ、試薬容器１４０を示す斜視図およびその横断面図である。試薬容器１４０は、図６（ａ），（ｂ）に示す如く、試薬トレイ７ａ、７ｂに収納するために、試薬トレイ７ａ，７ｂの回転中心側にある回転中心側壁部１４３と、この回転中心側壁部１４３よりも径方向外側にある径方向外側壁部１４４と、当該回転中心側壁部１４３と径方向外側壁部１４４との互いに向かい合う端部を繋ぐ２つの移送方向側壁部１４５，１４６とを有する横断面形状がほぼ扇形をしており、その上部には、図６（ａ）に示す如く、分取口１４０ａを有する。
【００３９】
また試薬容器１４０の内部は、図６（ｂ）に示す如く、移送方向側壁部１４５，１４６の分取口１４０ａに極近い部分にそれぞれ、移送時の加減速方向ａ1（ａ2）に沿って各内側壁面１４５ｆ，１４６ｆを内向きに突出させた楔状の仕切部１４１，１４２を１箇所づつ形成している。これらの仕切部１４１，１４２は、試薬が分取される分取口１４０ａの下部領域Ｖ1と、この下部領域Ｖ1を除いた残部領域Ｖ2とを連通可能に仕切るものであって、下部領域Ｖ1の容積が残部領域Ｖ2の容積よりも小さくなるように配置されている。
【００４０】
この場合、楔状の仕切部１４１，１４２は、下部領域Ｖ1の容積を残部領域Ｖ2の容積よりも小さくすることによって、分取口１４０の下部領域Ｖ1での慣性重量が小さくなり、移送方向への加減速動作によって試薬に生じる揺れが瞬時に軽減されるため、試薬容器１４０の容量を大きくしたり、高速で移送させても、分取口１４０ａ近傍における試薬液面の揺れを抑制することができる。
【００４１】
従って仕切部１４１，１４２を備える試薬容器１４０によれば、試薬液面の揺れを抑制した分だけ、試薬の分注精度が確保されると共に、試薬プローブ１０，１１を試薬内に浸す範囲が小さくなることで試薬プローブ１０，１１に生じる汚れが最小限に抑えられるため、信頼性の高い分析データを測定できる試薬容器を提供することができる。
【００４２】
［第４実施例］
図７（ａ），（ｂ）はそれぞれ、試薬容器１５０を示す斜視図およびその横断面図である。
【００４３】
試薬容器１５０は、試薬トレイ７ａ，７ｂの回転中心側にある回転中心側壁部１５３と、この回転中心側壁部１５３よりも径方向外側にある径方向外側壁部１５４と、当該回転中心側壁部１５３と径方向外側壁部１５４との互いに向かい合う端部を繋ぐ２つの移送方向側壁部１５５，１５６とを有し、楔状の仕切部１４１，１４２に代わって、移送時の加減速方向ａ1（ａ2）に対してほぼ直交する向きに沿って延在する板形状の仕切部１５１，１５２を２つ備える。これらの仕切部１５１，１５２は、図７（ｂ）に示す如く、試薬が分取される分取口１５０ａの下部領域Ｖ1と、この下部領域を除いた残部領域Ｖ2とを連通可能に仕切るものであって、下部領域Ｖ1の容積が残部領域Ｖ2の容積よりも小さくなるように配置されている。この場合も、試薬容器１４０と同様、板状の仕切部１５１，１５２が、下部領域Ｖ1の容積を残部領域Ｖ2の容積よりも小さくすることによって、分取口１５０の下部領域Ｖ1での慣性重量が小さくなり、移送方向への加減速動作によって試薬に生じる揺れが瞬時に軽減されるため、試薬容器１４０と同様の作用効果を得ることができる。
【００４４】
［参照技術］
図８（ａ），（ｂ）はそれぞれ、試薬容器１６０を示す斜視図およびその横断面図である。試薬容器１６０は、試薬トレイ７ａ，７ｂの回転中心側にある回転中心側壁部１６４と、この回転中心側壁部１６４よりも径方向外側にある径方向外側壁部１６５と、当該回転中心側壁部１６４と径方向外側壁部１６５との互いに向かい合う端部を繋ぐ２つの移送方向側壁部１６６，１６７とを有し、移送時の加減速方向ａ1（ａ2）に対してほぼ直交する向きに沿って延在する板形状の仕切部１６１，１６２と、加減速方向ａ1（ａ2）に延在する板状の仕切部１６３とを３つ備える。この場合も、試薬容器１４０と同様、板状の仕切部１６１〜１６３が、下部領域Ｖ1の容積を残部領域Ｖ2の容積よりも小さくすることによって、分取口１６０の下部領域Ｖ1での慣性重量が小さくなり、移送方向への加減速動作によって試薬に生じる揺れが瞬時に軽減されるため、試薬容器１４０と同様の作用効果を得ることができる。
【００４５】
なお、第２実施形態である試薬容器１５０にあっても、試薬容器の形状は、上述した例のようなほぼ扇形状のものに限らず、ほぼ矩形状、ほぼ楕円状、ほぼ台形状等でもよい。また、仕切り部１５１，１５２の形状、個数および配置位置は、液面の揺れを有意に防止する作用効果を奏する範囲内で適宜、種々の変更を行ってもよい。たとえば、仕切部１４１，１４２を楔形状に代わって矩形状、三角形状、多角形状その他に置き換えたり、仕切部１４１，１４２に櫛形ないし網目状のスリットを設ける等の加工を行ったりして、これら種々の変更を適宜組合せてもよい。同様に、仕切部１５１，１５２（１６１〜１６３）も板形状に代わって、三角形状や矩形状などの多角柱形状その他に置き換えてもよい。
【００４６】
また、試薬容器１５０の容量に応じて、仕切部１５１，１５２の個数、寸法も適宜最適なものに選択することもでき、例えば、仕切部１５１，１５２は、下部領域Ｖ1の容積を残部領域Ｖ2の容積よりも小さくすることが好ましいが、勿論、下部領域Ｖ1の容積と残部領域Ｖ2の容積との大小関係に関わらずに配置してもよい。
【００４７】
さらに、仕切部１５１，１５２は、試薬容器内の天井面から底面までにわたって設けられているが、液収容範囲に対応する高さ領域、すなわち、試薬容器内の天井面から底面までにわたる高さ領域であれば、必要に応じてその長さも適宜最適な寸法に選択することができる。
【００４８】
（第３の実施形態）
また、本発明は、第３の実施形態として、試薬容器１００を、試薬が分取される分取口の下部領域において試薬の揺れ方向に対向配置した２つの内側壁面の幅を、分取口の下部領域を除いた残部領域において試薬の揺れ方向に対向配置した２つの内側壁面の幅よりも狭めた容器１７０とすることによって、試薬液面の揺れを抑え、試薬表面を安定化し、測定データの信頼性を保つようにしてもよい。
【００４９】
図９（ａ），（ｂ）はそれぞれ、試薬容器１７０を示す斜視図およびその横断面図である。試薬容器１７０は、図９（ａ），（ｂ）に示す如く、試薬トレイ７ａ、７ｂに収納するために、試薬トレイ７ａ，７ｂの回転中心側にある回転中心側壁部１７３と、この回転中心側壁部１７３よりも径方向外側にある径方向外側壁部１７４と、当該回転中心側壁部１７３と径方向外側壁部１７４との互いに向かい合う端部を繋ぐ２つの移送方向側壁部とを有する横断面形状がほぼ扇形をしており、その上部には、図９（ａ）に示す如く、加減速方向ａ1（ａ2）に対してほぼ直交する向きに対向配置した回転中心側壁部１７３と径方向外側壁部１７４のうちの径方向外側壁部１７４側に近い位置に分取口１７０ａを有する。
【００５０】
また試薬容器１７０の内部は、図９（ｂ）に示す如く、試薬が分取される分取口１７０ａの下部領域Ｖ1において試薬の揺れ方向に対向配置した２つの移送方向側壁部１７１の内側壁面１７１ｆおよび移送方向側壁部１７２の内側壁面１７２ｆ間の幅Ｘ1を、分取口１７０ａの下部領域Ｖ1を除いた残部領域Ｖ2において試薬の揺れ方向に対向配置した２つの移送方向側壁部１７５の内側壁面１７５ｆおよび移送方向側壁部１７６の内側壁面１７６ｆ間の幅Ｘ2よりも狭めている。なお、２つの内側壁面１７１ｆおよび１７２ｆは、内側壁面１７５ｆおよび１７６ｆに対して、内側壁面１７１ｆおよび１７２ｆで画成される下部領域Ｖ1の容積が、２つの内側壁面１７５ｆおよび１７６ｆで画成される残部領域Ｖ2の容積よりも小さくなるように設定されている。
【００５１】
この場合、２つの内側壁面１７１ｆおよび１７２ｆは、その幅Ｘ1を内側壁面１７５ｆおよび１７６ｆ間の幅Ｘ2よりも狭めたことにより、下部領域Ｖ1の容積が残部領域Ｖ2の容積よりも小さくなるから、移送方向への試薬の移動に対する自由度が無くなると共に、分取口１７０の下部領域Ｖ1での慣性重量が小さくなり、移送方向への加減速動作によって試薬に生じる揺れが瞬時に軽減されるため、試薬容器１７０の容量を大きくしたり、高速で移送させても、分取口１７０ａ近傍における試薬液面の揺れを抑制することができる。
【００５２】
従って第３実施形態である試薬容器１７０によれば、試薬液面の揺れを抑制した分だけ、試薬の分注精度が確保されると共に、試薬プローブ１０，１１を試薬内に浸す範囲が小さくなることで試薬プローブ１０，１１に生じる汚れが最小限に抑えられるため、信頼性の高い分析データを測定できる試薬容器を提供することができる。
【００５３】
なお、第３実施形態にあっては、内側壁面１７１ｆおよび１７２ｆは、図９の如く、内側壁面１７５ｆおよび１７６ｆに対して内向きにオフセットして容器１７０の両側面角部を切り欠き状にしたものに限らず、内側壁面１７１ｆ（１７２ｆ）および内側壁面１７５ｆ（１７６ｆ）を同軸上に形成する一方、内側壁面１７２ｆ（１７１ｆ）および内側壁面１７６ｆ（１７５ｆ）のみを内向きにオフセットして片側面のみを切り欠き状にしたものであってもよい。また内側壁面１７５ｆおよび１７６ｆは、図９の如く、加減速方向ａ1（ａ2）に対してほぼ直交する向きに平行に配置された形状であるが、内側壁面１７５ｆおよび１７６ｆは、必ずしも、平行に配置する必要はない。
【００５４】
さらに、第３実施形態にあっては、試薬容器１７０の形状は、上述した例のようなほぼ扇形状のものに限らず、ほぼ矩形状、ほぼ楕円状、ほぼ台形状等でもよい。
【００５５】
（参考技術）
また本発明の参考技術として、試薬容器１００を、試薬の揺れ方向に対向配置した２つの内側壁面間の中心軸上のいずれかの位置またはその付近に、試薬が分取される分取口を配置した容器２１０，２２０，２３０とすることによって、試薬液面の揺れを抑え、試薬表面を安定化し、測定データの信頼性を保つようにしてもよい。
【００５６】
［参考技術１］
図１０（ａ），（ｂ）はそれぞれ、試薬容器２１０を示す斜視図およびその横断面図である。試薬容器２１０は、図１０（ａ），（ｂ）に示す如く、試薬トレイ７ａ、７ｂに収納するために、試薬トレイ７ａ，７ｂの回転中心側にある回転中心側壁部２１１と、この回転中心側壁部２１１よりも径方向外側にある径方向外側壁部２１２と、当該回転中心側壁部２１１と径方向外側壁部２１２との互いに向かい合う端部を繋ぐ２つの移送方向側壁部２１３，２１４とを有する横断面形状がほぼ扇形をしており、その上部には、図１０（ａ）に示す如く、分取口２１０ａを有する。
【００５７】
本参考技術では、試薬容器２１０の移送によって加減速方向ａ1（ａ2）に沿った揺れが生じるため、図１０（ｂ）に示す如く、試薬の揺れ方向、即ち、加減速方向ａ1（ａ2）に対向配置した移送方向側壁２１３の内側壁面２１３ｆおよび移送方向側壁２１４の内側側面２１４ｆ間の中心軸Ｏ1上のいずれかの位置またはその付近に、分取口２１０ａを配置している。
【００５８】
この場合、移送方向への加減速動作によって試薬に生じる揺れは分取口２１０ａで小さくなるため、試薬容器２１０の容量を大きくしたり、高速で移送させても、分取口２１０ａ近傍における試薬液面の揺れを抑制することができる。
【００５９】
従って試薬容器２１０によれば、試薬液面の揺れを抑制した分だけ、試薬の分注精度が確保されると共に、試薬プローブ１０，１１を試薬内に浸す範囲が小さくなることで試薬プローブ１０，１１に生じる汚れが最小限に抑えられるため、信頼性の高い分析データを測定できる試薬容器を提供することができる。
【００６０】
［参考技術２］
図１１（ａ），（ｂ）はそれぞれ、試薬容器２２０を示す斜視図およびその横断面図である。
【００６１】
本参考技術では、試薬容器２２０は、試薬トレイ７ａ，７ｂの回転中心側にある回転中心側壁部２２１と、この回転中心側壁部２２１よりも径方向外側にある径方向外側壁部２２２と、当該回転中心側壁部２２１と径方向外側壁部２２２との互いに向かい合う端部を繋ぐ２つの移送方向側壁部２２３，２２４とを有し、その移送によって加減速方向ａ1（ａ2）とほぼ直交する加減速方向ａ3に沿った揺れが生じるため、図１１（ｂ）に示す如く、試薬の揺れ方向、即ち、加減速方向ａ3に対向配置した回転中心側壁部２２１の内側壁面２２１ｆおよび径方向外側壁部２２２の内側壁面２２２ｆ間の中心軸Ｏ2上のいずれかの位置またはその付近に、分取口２２０ａを配置している。この場合も、移送方向への加減速動作によって試薬に生じる揺れは分取口２２０ａで小さくなるため、試薬容器２１０と同様の作用効果を得ることができる。
【００６２】
［参考技術３］
図１２（ａ），（ｂ）はそれぞれ、試薬容器２３０を示す斜視図およびその横断面図である。
【００６３】
試薬容器２３０は、試薬トレイ７ａ，７ｂの回転中心側にある回転中心側壁部２３１と、この回転中心側壁部２３１よりも径方向外側にある径方向外側壁部２３２と、当該回転中心側壁部２３１と径方向外側壁部２３２との互いに向かい合う端部を繋ぐ２つの移送方向側壁部２３３，２３４とを有し、試薬容器２３０の移送によって加減速方向ａ1（ａ2）に沿った揺れと、加減速方向ａ1（ａ2）とほぼ直交する加減速方向ａ3に沿った揺れとが複合して生じるため、図１２（ｂ）に示す如く、試薬の揺れ方向、即ち、加減速方向ａ1（ａ2）に対向配置した移送方向側壁部２３３の内側壁面２３３ｆおよび移送方向側壁部２３４の内側壁面２３４ｆ間の中心軸Ｏ1と、加減速方向ａ3に対向配置した回転中心側壁部２３１の内側壁面２３１ｆおよび径方向外側壁部２３２の内側壁面２３２ｆ間の中心軸Ｏ2との交点に、分取口２３０ａを配置している。この場合も、移送方向への加減速動作によって試薬に生じる揺れは分取口２３０ａで小さくなるため、試薬容器２１０と同様の作用効果を得ることができる。
【００６４】
なお、試薬容器２３０の移送によって加減速方向ａ1（ａ2）に沿った揺れと、加減速方向ａ1（ａ2）とほぼ直交する加減速方向ａ3に沿った揺れとが複合して生じる場合でも、試薬容器２１０，２２０を用いることは可能である。
【００６５】
また、上記参考技術にあっても、試薬容器２１０，２２０，２３０の形状は、上述した例のようなほぼ扇形状のものに限らず、ほぼ矩形状、ほぼ楕円状、ほぼ台形状等でもよい。
【００６６】
（第４の実施形態）
さらに本発明は、第４の実施形態として、試薬容器１００を、容器の内側壁面に、試薬の揺れによって生じる反射波を制御する反射部を備えた容器２５０とすることによって、試薬液面の揺れを抑え、試薬表面を安定化し、測定データの信頼性を保つようにしてもよい。
【００６７】
［参考技術］
図１３（ａ），（ｂ）はそれぞれ、試薬容器２４０を示す斜視図およびその横断面図である。試薬容器２４０は、図１３（ａ），（ｂ）に示す如く、試薬トレイ７ａ、７ｂに収納するために横断面形状がほぼ扇形をしており、その上部には、図１３（ａ）に示す如く、分取口２４０ａを有する。
【００６８】
従来の試薬容器は、例えば、図１３の二点鎖線で示す如く、試薬トレイ７ａ，７ｂの回転中心側にある回転中心側壁部２４３と、この回転中心側壁部２４３よりも径方向外側にある径方向外側壁部２４４と、当該回転中心側壁部２４３と径方向外側壁部２４４との互いに向かい合う端部を繋ぐ２つの移送方向側壁部とを有する単純なほぼ扇形をしているため、試薬容器を加減速方向ａ2に沿った向きに移送する場合、図１３（ｂ）に示す如く、容器内の試薬は遠心力および移送時の加減速による方向ａ2への力によって領域Ａまたは領域Ｂの位置に押し付けられる。このため、遠心力や加減速による力が弱まると、例えば、図１３（ｂ）に示す如く、領域Ａから一点鎖線で示す矢印ｄoの方向に試薬が流れて移送方向側壁部２４５の内側側壁２４５ｆにて反射したのち、この反射波が分取口２４０ａ近傍に向かうという不都合があった。
【００６９】
そこで、本参考技術では、試薬の揺れによって生じる反射波を制御する反射部として、その移送方向側壁部２４５の内側壁面２４５ｆおよび移送方向側壁部２４６の内側壁面２４６ｆと一体に、内側壁面２４５ｆおよび２４６ｆに対して内向きに突出させた移送方向側壁部２４１の内側壁面２４１ｆおよび移送方向側壁部２４２の内側壁面２４２ｆを形成している。
【００７０】
この場合、遠心力や加減速による力が弱まって領域Ａ（領域Ｂ）から流れた試薬は、内側側壁２４１ｆ（２４２ｆ）にて矢印ｄの方向に反射するから、この反射波は直接分取口２４０ａ近傍に向かうことなく済むため、試薬容器２４０の容量を大きくしたり、高速で移送させても、分取口２４０ａ近傍における試薬液面の揺れを抑制することができる。
【００７１】
従って試薬容器２４０によれば、試薬液面の揺れを抑制した分だけ、試薬の分注精度が確保されると共に、試薬プローブ１０，１１を試薬内に浸す範囲が小さくなることで試薬プローブ１０，１１に生じる汚れが最小限に抑えられるため、信頼性の高い分析データを測定できる試薬容器を提供することができる。
【００７２】
［第６実施例］
図１４（ａ），（ｂ）はそれぞれ、試薬容器２５０を示す斜視図およびその横断面図である。
【００７３】
本実施例は、試薬容器２５０が、試薬トレイ７ａ，７ｂの回転中心側にある回転中心側壁部２５２と、この回転中心側壁部２５２よりも径方向外側にある径方向外側壁部２５３と、当該回転中心側壁部２５２と径方向外側壁部２５３との互いに向かい合う端部を繋ぐ２つの移送方向側壁部２５４，２５５とを有し、試薬の揺れによって生じる反射波を制御する反射部として、分取口２５０ａ近傍にパイプ状の反射部２５１を備える。この場合も、図１４（ｂ）に示す如く、遠心力や加減速による力が弱まって領域Ａ（領域Ｂ）から流れた試薬は、パイプ状の反射部２５１にて矢印ｄの方向に反射するから、この反射波は直接分取口２５０ａ近傍に向かうことなく済むため、試薬容器２４０と同様の作用効果を得ることができる。
【００７４】
なお、第４実施形態にあっても、反射部２５１の形状、個数および配置位置は、液面の揺れを有意に防止する作用効果を奏する範囲内で適宜、種々の変更を行ってもよい。たとえば、反射部２５１としてパイプなどの円柱形状に代わって、三角形状や矩形状などの多角柱形状その他に置き換えてもよい。
【００７５】
上記第４実施形態にあっては、試薬容器２５０の形状は、上述した例のようなほぼ扇形状のものに限らず、ほぼ矩形状、ほぼ楕円状、ほぼ台形状等でもよい。さらに、反射部２５１は、試薬容器内の天井面から底面までにわたって設けられているが、液収容範囲に対応する高さ領域、すなわち、試薬容器内の天井面から底面までにわたる高さ領域であれば、必要に応じてその長さも適宜最適な寸法に選択することができる。
【００７６】
上述したところは、本発明の好適な実施例を示したに過ぎず、以上の実施例に限定されるものではない。たとえば、上述した第１〜第４実施形態の実施例として説明した内容は、それぞれ単独で実施してもよいし、組み合わせて実施することもできる。
【００７７】
また本発明において、試薬としては、被検試料と反応するもの以外に、分析の目的に応じて標準試料、洗浄液、希釈液等を試薬容器内に収容するようにしてもよい。また、試薬として、反応等に寄与する多数の微粒子を懸濁させた粒子含有試薬を試薬容器に収容させた場合や、被検試料の収容容器や異なる試薬容器同士を一体にした複合型容器にも、本発明を有効に適用できる。
【００７８】
また、試薬テーブル上に異なる半径毎に試薬容器を配置させて一体に回転駆動させるか半径毎に独立して回転駆動させる場合や、試薬容器に設けた試薬コードの読み取りや攪拌のために試薬テーブルの回転量ないし回転速度を増減させる場合にも、上述した凸部による揺れ防止が有効に寄与するものと期待できる。さらに、また、上述した例では、複数の試薬容器を、所定向きで並べて一体に回転移送するようにしたが、移送方向は回転や直進以外の移送（蛇行等）であったり、特定の試薬容器のみをロボットアーム等でピックアップして他の収容部へとＸＹＺ方向に移送する構成であってもよい。また、試薬テーブルの回転方向は、一方向でも双方向自在でも構わない。
【００７９】
【発明の効果】
第１発明である自動分析装置用の試薬容器は、回転テーブルに装着された円形の試薬トレイにその周方向に沿って着脱自在に装着され、当該試薬トレイの回転によって移送された所定の位置にて、内容物が分取される分取口を有する自動分析装置用の試薬容器において、前記試薬容器は、試薬トレイの回転中心側にある回転中心側壁部と、この回転中心側壁部よりも径方向外側にある径方向外側壁部と、当該回転中心側壁部と径方向外側壁部との互いに向かい合う端部を繋ぐ２つの移送方向側壁部とを有し、前記径方向外側壁部を基部として、この基部から回転中心側壁部に向かって延在し、試薬容器の移送方向に対して当該試薬容器内の試薬に流体抵抗を生じせしめる障害物を備えるものであるから、試薬容器の内部では、移送方向への試薬の移動に対する自由度が無くなるため、試薬容器の容量を大きくしたり、高速で移送させても、試薬容器の内部全体または試薬容器の分取口近傍における試薬液面の揺れを抑制することができる。
【００８０】
従って第１発明によれば、試薬液面の揺れを抑制した分だけ、試薬の分注精度が確保されると共に、吸入ノズルを試薬内に浸す範囲が小さくなることで該吸入ノズルに生じる汚れが最小限に抑えられるため、信頼性の高い分析データを測定できる試薬容器を提供することができる。
【００８１】
第２発明である自動分析装置用の試薬容器は、試薬トレイの回転中心側にある回転中心側壁部と、この回転中心側壁部よりも径方向外側にある径方向外側壁部と、当該回転中心側壁部と径方向外側壁部との互いに向かい合う一端部を繋ぎ、内容物が押し付けられて液面が最も上昇する第１の移送方向側壁部と、この第１の移送方向側壁部の内側壁面に対向する位置にあって前記回転中心側壁部と径方向外側壁部との互いに向かい合う他端部を繋ぎ、内容物が押し付けられて液面が最も下降する第２の移送方向側壁部とを有し、当該第１の移送方向側壁部の内側壁面と第２の移送方向側壁部の内側壁面との間に、液収容範囲に対応する高さ領域にあって、前記径方向外側壁部を基部として、この基部から回転中心側壁部に向かって延在し、この試薬容器の移送時に、移送方向への加減速動作によって内容物に生じる揺れに対して抵抗を生じさせる障害物を備えるものであるから、第１発明と同様、試薬容器の内部では、移送方向への試薬の移動に対する自由度が無くなるため、試薬容器の容量を大きくしたり、高速で移送させても、試薬容器の内部全体または試薬容器の分取口近傍における試薬液面の揺れを抑制することができる。
【００８２】
従って第２発明によれば、試薬液面の揺れを抑制した分だけ、試薬の分注精度が確保されると共に、吸入ノズルを試薬内に浸す範囲が小さくなることで該吸入ノズルに生じる汚れが最小限に抑えられるため、信頼性の高い分析データを測定できる試薬容器を提供することができる。
【００８３】
第３発明である自動分析装置用の試薬容器は、試薬トレイの回転中心側にある回転中心側壁部と、この回転中心側壁部よりも径方向外側にある径方向外側壁部と、当該回転中心側壁部と径方向外側壁部との互いに向かい合う端部を繋ぐ２つの移送方向側壁部とを有し、その内部に、試薬容器内の天井面から底面までにわたる高さにおいて、前記径方向外側壁部を基部として、この基部から前記分取口を挟んで回転中心側壁部に向かって延在し、内容物が分取される分取口の下部領域と、この下部領域を除いた残部領域とに仕切ると共に、当該下部領域と残部領域との間に試薬容器内の天井面から底面までにわたって開口する連通部を形成する２つの仕切部を備えることによって、分取口のある下部領域での慣性重量が小さくなり、移送方向への加減速動作によって試薬に生じる揺れが瞬時に軽減されるため、試薬容器の容量を大きくしたり、高速で移送させても、試薬容器の分取口近傍における試薬液面の揺れを抑制することができる。
【００８４】
従って第３発明によれば、試薬液面の揺れを抑制した分だけ、試薬の分注精度が確保されると共に、吸入ノズルを試薬内に浸す範囲が小さくなることで該吸入ノズルに生じる汚れが最小限に抑えられるため、信頼性の高い分析データを測定できる試薬容器を提供することができる。
【００８５】
第４発明である自動分析装置用の試薬容器は、上記第３発明において、仕切部を下部領域の容積が残部領域の容積よりも小さくなるように配置することによって、分取口のある下部領域での慣性重量がさらに小さくなるため、第３発明の作用効果を一層顕著なものとすることができる。
【００８６】
第５発明である自動分析装置用の試薬容器は、試薬容器は、試薬トレイの回転中心側にある回転中心側壁部と、この回転中心側壁部よりも径方向外側にある径方向外側壁部と、当該回転中心側壁部と径方向外側壁部との互いに向かい合う端部を繋ぐ２つの移送方向側壁部とを有し、内容物が分取される分取口を前記移送方向側壁部の内側壁面間の中心軸上の前記径方向外側壁部側に配置すると共に、前記移送方向側壁部の少なくとも一方を内向きにオフセットさせて、前記分取口の下部領域において内容物の揺れ方向に対向配置した２つの移送方向側壁部の内側壁面間の幅を、分取口の下部領域を除いた残部領域において内容物の揺れ方向に対向配置した２つの移送方向側壁部の内側壁面間の幅よりも狭めたものであるから、下部領域の容積を残部領域の容積よりも小さくすることによって、移送方向への試薬の移動に対する自由度が無くなると共に、分取口のある下部領域での慣性重量が小さくなり、移送方向への加減速動作によって試薬に生じる揺れが瞬時に軽減されるため、試薬容器の容量を大きくしたり、高速で移送させても、試薬容器の分取口近傍における試薬液面の揺れを抑制することができる。
【００８７】
従って第５発明によれば、試薬液面の揺れを抑制した分だけ、試薬の分注精度が確保されると共に、吸入ノズルを試薬内に浸す範囲が小さくなることで該吸入ノズルに生じる汚れが最小限に抑えられるため、信頼性の高い分析データを測定できる試薬容器を提供することができる。
【００８８】
第６発明である自動分析装置用の試薬容器は、その内部に、内容物の揺れによって生じる反射波の反射方向を制御する柱状の反射部を備えるものであるから、内容物の揺れによって生じる反射波は直接分取口近傍に向かうことなく済むため、試薬容器の容量を大きくしたり、高速で移送させても、試薬容器内の全体または試薬容器の吸引口近傍における試薬液面の揺れを抑制することができる。
【００８９】
従って第６発明によれば、試薬液面の揺れを抑制した分だけ、試薬の分注精度が確保されると共に、吸入ノズルを試薬内に浸す範囲が小さくなることで該吸入ノズルに生じる汚れが最小限に抑えられるため、信頼性の高い分析データを測定できる試薬容器を提供することができる。
【図面の簡単な説明】
【図１】  本発明に係わる自動分析装置を例示する概略図である。
【図２】  図１に示す装置本体の要部上面図である。
【図３】  （ａ），（ｂ）はそれぞれ、本発明の第１実施形態である試薬容器の第１実施例を示す斜視図およびその横断面図である。
【図４】  （ａ），（ｂ）はそれぞれ、本発明の第１実施形態である試薬容器の第２実施例を示す斜視図およびその横断面図である。
【図５】  （ａ），（ｂ）はそれぞれ、本発明の第１実施形態である試薬容器の第３実施例を示す斜視図およびその横断面図である。
【図６】  （ａ），（ｂ）はそれぞれ、本発明の第２実施形態についての参考技術である試薬容器を示す斜視図およびその横断面図である。
【図７】  （ａ），（ｂ）はそれぞれ、本発明の第２実施形態である試薬容器の一実施例を示す斜視図およびその横断面図である。
【図８】  （ａ），（ｂ）はそれぞれ、本発明の第２実施形態の参考技術である他の試薬容器を示す斜視図およびその横断面図である。
【図９】  （ａ），（ｂ）はそれぞれ、本発明の第３実施形態である試薬容器を示す斜視図およびその横断面図である。
【図１０】  （ａ），（ｂ）はそれぞれ、本発明の参考技術である試薬容器を示す斜視図およびその横断面図である。
【図１１】  （ａ），（ｂ）はそれぞれ、本発明の参考技術である他の試薬容器を示す斜視図およびその横断面図である。
【図１２】  （ａ），（ｂ）はそれぞれ、本発明の参考技術である更に他の試薬容器を示す斜視図およびその横断面図である。
【図１３】  （ａ），（ｂ）はそれぞれ、本発明の第４実施形態の参考技術である試薬容器を示す斜視図およびその横断面図である。
【図１４】  （ａ），（ｂ）はそれぞれ、本発明の第４実施形態である試薬容器の一実施例を示す斜視図およびその横断面図である。
【符号の説明】
１  自動分析装置本体
２  サンプラ
３  サンプルカップ
４  ホルダーチェーン
５  反応ディスク
６  反応容器
７，７ａ，７ｂ  試薬トレイ
８  試薬テーブル（回転テーブル）
９  サンプルプローブ
１０  第１試薬プローブ
１１  第２試薬プローブ
１２  キーボード
１３  ＣＲＴ
１１０  試薬容器
１１０ａ  分取口
１１１  楔状の抵抗部
１１２  回転中心側壁部
１１３  径方向外側壁部
１１３ｆ  内側壁面
１１４  移送方向側壁部
１１４ｆ  内側壁面
１１５  移送方向側壁部
１１５ｆ  内側壁面
１２０  試薬容器
１２０ａ  分取口
１２１  矩形状の抵抗部
１２２  回転中心側壁部
１２３  径方向外側壁部
１２３ｆ  内側壁面
１２４  移送方向側壁部
１２４ｆ  内側壁面
１２５  移送方向側壁部
１２５ｆ  内側壁面
１３０  試薬容器
１３０ａ  分取口
１３１  板状の抵抗部
１３２  回転中心側壁部
１３３  径方向外側壁部
１３３ｆ  内側壁面
１３４  移送方向側壁部
１３４ｆ  内側壁面
１３５  移送方向側壁部
１３５ｆ  内側壁面
１４０  試薬容器
１４０ａ  分取口
１４１，１４２  楔状の仕切部
１４３  回転中心側壁部
１４４  径方向外側壁部
１４５  移送方向側壁部
１４５ｆ  内側壁面
１４６  移送方向側壁部
１４６ｆ  内側壁面
１５０  試薬容器
１５０ａ  分取口
１５１，１５２  板状の仕切部
１５３  回転中心側壁部
１５４  径方向外側壁部
１５４ｆ  内側壁面
１５５  移送方向側壁部
１５５ｆ  内側壁面
１５６  移送方向側壁部
１５６ｆ  内側壁面
１６０  試薬容器
１６０ａ  分取口
１６１，１６２，１６３  板状の仕切部
１６４  回転中心側壁部
１６５  径方向外側壁部
１６６  移送方向側壁部
１６７  移送方向側壁部
１７０  試薬容器
１７０ａ  分取口
１７１  下部領域における移送方向側壁部
１７１ｆ  下部領域における内側壁面
１７２  下部領域における移送方向側壁部
１７２ｆ  下部領域における内側壁面
１７３  回転中心側壁部
１７４  径方向外側壁部
１７５  残部領域における移送方向側壁部
１７５ｆ  残部領域における内側壁面
１７６  残部領域における移送方向側壁部
１７６ｆ  残部領域における内側壁面
２１０  試薬容器
２１０ａ  分取口
２１１  回転中心側壁部
２１２  径方向外側壁部
２１３  移送方向側壁部
２１３ｆ  内側壁面
２１４  移送方向側壁部
２１４ｆ  内側壁面
２２０  試薬容器
２２０ａ  分取口
２２１  回転中心側壁部
２２２  径方向外側壁部
２２３  移送方向側壁部
２２３ｆ  内側壁面
２２４  移送方向側壁部
２２４ｆ  内側壁面
２３０  試薬容器
２３０ａ  分取口
２３１  回転中心側壁部
２３１ｆ  内側壁面
２３２  径方向外側壁部
２３２ｆ  内側壁面
２３３  移送方向側壁部
２３３ｆ  内側壁面
２３４  移送方向側壁部
２３４ｆ  内側壁面
２４０  試薬容器
２４０ａ  分取口
２４１  反射部
２４１ｆ  内側壁面
２４２  反射部
２４２ｆ  内側壁面
２４３  回転中心側壁部
２４４  径方向外側壁部
２４５  移送方向側壁部
２４５ｆ  内側壁面
２４６  移送方向側壁部
２５６ｆ  内側壁面
２５０  試薬容器
２５０ａ  分取口
２５１  反射部
２５２  回転中心側壁部
２５３  径方向外側壁部
２５４  移送方向側壁部
２５４ｆ  内側壁面
２５５  移送方向側壁部
２５５ｆ  内側壁面
Ｖ1  下部領域
Ｖ2  残部領域
【図１】
0003845305.tif 000002
【図２】
0003845305.tif 000003
【図３】
0003845305.tif 000004
【図４】
0003845305.tif 000005
【図５】
0003845305.tif 000006
【図６】
0003845305.tif 000007
【図７】
0003845305.tif 000008
【図８】
0003845305.tif 000009
【図９】
0003845305.tif 000010
【図１０】
0003845305.tif 000011
【図１１】
0003845305.tif 000012
【図１２】
0003845305.tif 000013
【図１３】
0003845305.tif 000014
【図１４】
0003845305.tif 000015